(57)【要約】【課題】制御装置の不具合の発生を抑えることが可能な遊技機の提供を目的とする。【解決手段】本発明のパチンコ遊技機１０では、支持枠１２に遊技盤１１を支持するための回動ロック２０が設けられている。この回動ロック２０には、ワイヤー２６を介して主電源スイッチ８０の近傍に配された直動部材２５が接続されている。直動部材２５は、回動ロック２０がロック位置にあるときは、オン位置にある主電源スイッチ８０よりも下方に位置し、回動ロック２０がアンロック位置まで回動されると、ワイヤー２６を介して引き上げられてオフ位置にある主電源スイッチ８０の真下の位置まで移動する。【選択図】図７
2018000643.tif 000002
【特許請求の範囲】
【請求項１】
遊技に関する制御を行う制御装置を備え、かつ、前面に遊技領域を有する遊技盤と、
主電源から受けた電力を前記制御装置に送電するための電源装置を備え、かつ、前記遊技盤が着脱可能に取り付けられる支持枠と、
前記遊技盤と前記支持枠とに設けられて、前記遊技盤が前記支持枠に装着されるときに互いに結合して前記制御装置と前記電源装置とを接続する一方、前記遊技盤が前記支持枠から離脱するときに離脱して前記制御装置と前記電源装置とを切断する１対のコネクタと、を有し、
前記電源装置は、前記主電源からの受電のオンオフを切り替える受電スイッチを備える遊技機において、
前記支持枠に設けられ、前記遊技盤を保持するロック位置と、前記遊技盤を着脱可能とするアンロック位置と、に切り替え可能なロック部材と、
前記ロック部材が前記ロック位置に配されたときは、前記電源装置の前記受電スイッチをオンにすることを可能とする一方、前記ロック部材が前記アンロック位置に配されたときは、前記電源装置の前記受電スイッチを強制的にオフにする受電制御機構と、を有する遊技機。
【請求項２】
オン位置とオフ位置とに手動で切り替え可能な前記受電スイッチとしての手動スイッチを備え、
前記受電制御機構は、前記ロック部材と、前記ロック部材とワイヤーにより接続されて前記ロック部材が前記アンロック位置に配されたときに前記手動スイッチを強制的に前記オフ位置に移動させる切替部材と、を備えてなる請求項１に記載の遊技機。
【請求項３】
前記手動スイッチとは別個に設けられ、かつ、前記手動スイッチと直列接続され、前記ロック部材の動きに連動して、前記ロック部材が前記ロック位置に配されるとオンになり、前記ロック部材が前記アンロック位置に配されるとオフになる前記受電スイッチとしての内蔵スイッチを有する請求項２に記載の遊技機。
【発明の詳細な説明】
【技術分野】
【０００１】
本発明は、支持枠に遊技盤が着脱可能に取り付けられる遊技機に関する。
【背景技術】
【０００２】
従来、この種の遊技機として、支持枠に取り付けられた電源装置から遊技盤に取り付けられた制御装置に給電されるものが知られている。この遊技機では、電源装置と制御装置とはコネクタを介して接続されている（例えば、特許文献１参照）。
【先行技術文献】
【特許文献】
【０００３】
【特許文献１】特開２００６−２８０５１０号公報（段落［００２６］、図２）
【発明の概要】
【発明が解決しようとする課題】
【０００４】
上述した従来の遊技機においては、メンテナンス等のために遊技盤を支持枠から取り外すことがあるが、電源が入った状態で遊技盤が支持枠から取り外されると、制御装置に不具合が発生し得るという問題があった。
【０００５】
本発明は、上記事情に鑑みてなされたもので、制御装置の不具合の発生を抑えることが可能な遊技機の提供を目的とする。
【課題を解決するための手段】
【０００６】
上記目的を達成するためになされた請求項１の発明は、遊技に関する制御を行う制御装置を備え、かつ、前面に遊技領域を有する遊技盤と、主電源から受けた電力を前記制御装置に送電するための電源装置を備え、かつ、前記遊技盤が着脱可能に取り付けられる支持枠と、前記遊技盤と前記支持枠とに設けられて、前記遊技盤が前記支持枠に装着されるときに互いに結合して前記制御装置と前記電源装置とを接続する一方、前記遊技盤が前記支持枠から離脱するときに離脱して前記制御装置と前記電源装置とを切断する１対のコネクタと、を有し、前記電源装置は、前記主電源からの受電のオンオフを切り替える受電スイッチを備える遊技機において、前記支持枠に設けられ、前記遊技盤を保持するロック位置と、前記遊技盤を着脱可能とするアンロック位置と、に切り替え可能なロック部材と、前記ロック部材が前記ロック位置に配されたときは、前記電源装置の前記受電スイッチをオンにすることを可能とする一方、前記ロック部材が前記アンロック位置に配されたときは、前記電源装置の前記受電スイッチを強制的にオフにする受電制御機構と、を有する遊技機である。
【０００７】
請求項２の発明は、オン位置とオフ位置とに手動で切り替え可能な前記受電スイッチとしての手動スイッチを備え、前記受電制御機構は、前記ロック部材と、前記ロック部材とワイヤーにより接続されて前記ロック部材が前記アンロック位置に配されたときに前記手動スイッチを強制的に前記オフ位置に移動させる切替部材と、を備えてなる請求項１に記載の遊技機である。
【０００８】
請求項３の発明は、前記手動スイッチとは別個に設けられ、かつ、前記手動スイッチと直列接続され、前記ロック部材の動きに連動して、前記ロック部材が前記ロック位置に配されるとオンになり、前記ロック部材が前記アンロック位置に配されるとオフになる前記受電スイッチとしての内蔵スイッチを有する請求項２に記載の遊技機である。
【発明の効果】
【０００９】
［請求項１〜３の発明］
請求項１の遊技機では、遊技盤を取り外す際にロック部材をアンロック位置に配すると、電源装置の受電スイッチが強制的にオフになるので、電源が入った状態で遊技盤が支持枠から取り外されることが防がれ、制御装置の不具合の発生が抑えられる。
【００１０】
このとき、例えば、請求項２の発明のように、オン位置とオフ位置とに手動で切り替え可能な手動スイッチを強制的にオフにする構成としてもよいし、請求項３の発明のように、手動スイッチとは別に、ロック部材の動きに連動してオンオフが切り替わる内蔵スイッチを設ける構成としてもよい。
【図面の簡単な説明】
【００１１】
【図１】本発明の一実施形態に係るパチンコ遊技機の正面図
【図２】前面扉を開いた状態のパチンコ遊技機の正面図
【図３】パチンコ遊技機の背面図
【図４】遊技機の電気的構成を示すブロック図
【図５】遊技機の電気的構成を示す概念図
【図６】電源装置の背面斜視図
【図７】回動ロックと主電源スイッチ周辺の概念図
【図８】変形例に係る遊技機の電気的構成を示す概念図
【図９】変形例に係る受電基板の概念図
【発明を実施するための形態】
【００１２】
［第１実施形態］
以下、本発明を適用したパチンコ遊技機１０（本発明の「遊技機」に相当する）に係る第１実施形態を図１〜７に基づいて説明する。図１及び図２に示すように、パチンコ遊技機１０は、遊技盤１１と、遊技盤１１を支持する支持枠１２と、その支持枠１２に対して開閉可能な前面扉９５とから構成されている。前面扉９５には、視認窓９５Ｗが形成されていて、前面扉９５が閉状態にある際に、この視認窓９５Ｗを通じて遊技盤１１の遊技領域Ｒ１が前方から視認可能となっている。
【００１３】
遊技盤１１は、略四角形で平板状をなした遊技盤本体１１Ａ（図２参照）の後方に各種装置を備えてなる。前述した遊技領域Ｒ１は、遊技盤本体１１Ａの前面に形成されている。図２に示すように、遊技領域Ｒ１の中央には、液晶モジュールで構成された表示装置３０が設けられていて、表示装置３０の下方には、第１始動入賞口１４Ａと大入賞口１５とが、上下に並べて設けられている。また、表示装置３０の右方には、第２始動入賞口１４Ｂが設けられている。
【００１４】
図１に示される操作ノブ２８を回転させると、遊技領域Ｒ１に向けて遊技球が発射される。そして、各始動入賞口１４Ａ，１４Ｂに遊技球が入球すると当否判定が行われる。当否判定の結果は、表示装置３０の表示画面３０Ｇにおいてその結果に基づいた演出と共に表示される。また、大入賞口１５は、通常は、可動扉１５Ｔ（図２参照）で閉塞されて遊技球が入球困難な状態になっていて、上記当否判定の結果が当りとなったときに開放されて遊技球が入球可能な状態となる。各入賞口１４Ａ，１４Ｂ，１５に遊技球が入球すると、予め定められた所定数の遊技球（賞球）が前面の上皿２７（図１参照）に払い出される。
【００１５】
次に、図３及び図４を参照しつつ、本実施形態のパチンコ遊技機１０の電気的な構成について説明する。図３に示すように、遊技盤１１には、主制御基板５０やサブ制御基板５２、音声制御回路５４等が備えられている。図４に示すように、主制御基板５０は、ＣＰＵ５０ＡとＲＡＭ５０Ｂ及びＲＯＭ５０Ｃ、を有していて、遊技に関わる主制御を行う。サブ制御基板５２は、主制御基板５０と同様に、ＣＰＵ５２ＡとＲＡＭ５２Ｂ及びＲＯＭ５２Ｃを有し、主制御基板５０や表示装置３０、音声制御回路５４等と接続されている。サブ制御基板５２は、主に、主制御基板５０からのコマンドを受けて演出内容等を決定し、演出に関する信号を表示装置３０の演出操作基板５３や、音声制御回路５４等へ出力する。なお、これら各基板５０，５２〜５４等が本発明の「制御装置」に相当する。
【００１６】
上記した各基板５０，５２〜５４は、支持枠１２に備えられた電源装置７０から受電して作動する。詳細には、パチンコホールでは、ＡＣ２４Ｖ設備電源１００（本発明の「主電源」に相当する）が備えられている。そして、各パチンコ遊技機の電力ケーブル８２（図３参照）が、そのＡＣ２４Ｖ設備電源１００に接続されている。各パチンコ遊技機では、ＡＣ２４Ｖを電源装置７０で受電し、そこから各基板５０，５２〜５４を含む各部位に配電する。
【００１７】
電源装置７０は、図５に示すように、ＡＣ２４Ｖ設備電源１００から電力を受ける受電基板７１に、主電源スイッチ８０（本発明の「受電スイッチ」、「手動スイッチ」に相当する）を備える。そして、この主電源スイッチ８０の操作により、ＡＣ２４Ｖ設備電源１００からの受電を、オンオフすることができる。
【００１８】
詳細には、図６に示すように、電源装置７０は、透明な合成樹脂製のケース体９０に収納されていて、ケース体９０の１側辺部に形成された縦長の窓９１から受電基板７１（図５参照）に実装された上記主電源スイッチ８０が外方に露出している。主電源スイッチ８０は、上下にスライドして、上側位置と下側位置とに係止するスライドスイッチ構造をなし、上側位置でオフする一方、下側位置でオンする。
【００１９】
図５に示すように、遊技盤１１に備えられた各基板５０，５２〜５４と、支持枠１２に備えられた電源装置７０とは、遊技盤１１と支持枠１２とにそれぞれ設けられた１対のコネクタ４０，４０（例えば、ドロワコネクタ）を介して接続されていて、遊技盤１１が支持枠１２から取り外されるとコネクタ４０，４０同士が外れて切断される。なお、図５においては、簡便のため、各基板５０，５２〜５４のうち主制御基板５０のみが記載されている。
【００２０】
ところで、図２に示すように、支持枠１２には、遊技盤１１を受容するための枠開口部１２Ｗが形成されている。そして、この枠開口部１２Ｗの開口縁には、遊技盤１１を支持するための回動ロック２０（本発明の「ロック部材」に相当する）が設けられている。
【００２１】
回動ロック２０は、平面扇形をなし、その頂点部を回動中心として枠開口部１２Ｗの開口縁のうち右上角部の前面に回動可能に取り付けられ、遊技盤１１の前面に重なるロック位置（図２及び図７（Ａ）参照）と、遊技盤１１の前面から退避したアンロック位置（図７（Ｃ）参照）とに回動操作される。このとき、回動ロック２０がアンロック位置に配置されていれば、遊技盤１１を支持枠１２から引き抜くことが可能となる。
【００２２】
なお、遊技盤１１の遊技盤本体１１Ａには、右上角部を斜めに切り欠いた右上切欠部１１Ｂが形成されている。これに対応して、支持枠１２における枠開口部１２Ｗの右上内側角部にも、三角形状のコーナー突部１２Ｍ（図２参照）が張り出していて、そのコーナー突部１２Ｍの前面に回動ロック２０が回動可能に取り付けられている。
【００２３】
ここで、図７に示すように、本実施形態のパチンコ遊技機１０では、主電源スイッチ８０の近傍に、本発明の「切替部材」に相当する直動部材２５が備えられている。直動部材２５は、上述した回動ロック２０と、ワイヤー２６により接続されている。この直動部材２５は、電源装置７０のケース体９０の内部のうち主電源スイッチ８０の下方に配され、回動ロック２０がロック位置にあるとき（図７（Ａ）参照）は、オン位置にある主電源スイッチ８０よりも下方に位置し（図７（Ｂ）参照）、回動ロック２０がアンロック位置まで回動されると（図７（Ｃ）参照）、ワイヤー２６を介して引き上げられてオフ位置にある主電源スイッチ８０の真下の位置まで移動する（図７（Ｄ）参照）。
【００２４】
これにより、回動ロック２０がロック位置にあるときにオン位置にある主電源スイッチ８０は、回動ロック２０がアンロック位置に回動されると、直動部材２５により押し上げられてオフ位置に移動する。また、回動ロック２０がアンロック位置に配されている間は、直動部材２５に当接するため、主電源スイッチ８０をオン位置に移動できなくなる。そして、回動ロック２０がロック位置に回動されると、主電源スイッチ８０の下方に空間ができ、主電源スイッチ８０をオン位置に移動可能となる。
【００２５】
本実施形態の構成は以上である。次に、本実施形態の作用効果について説明する。本実施形態のパチンコ遊技機１０では、ＡＣ２４Ｖ設備電源１００に接続された電源装置７０から各基板５０，５２〜５４に給電されて、それら基板５０，５２〜５４が作動することにより遊技が行われる。
【００２６】
ところで、支持枠１２に取り付けられた電源装置７０と、遊技盤１１に取り付けられた各基板５０，５２〜５４とは、コネクタ４０，４０を介して接続されているため、電源が入った状態で遊技盤１１を支持枠１２から取り外すと、電源装置７０と各基板５０，５２〜５４との接続が給電状態のまま切断され、各基板５０，５２〜５４に予期せぬ高電圧が印加されたりして、不具合が発生することが考えられる。
【００２７】
これに対して、本実施形態のパチンコ遊技機１０では、遊技盤１１を支持枠１２から取り外すために回動ロック２０をアンロック位置に回動すると、主電源スイッチ８０が直動部材２５により押し上げられて強制的にオフとなる。これにより、遊技盤１１を支持枠１２から取り外す際に電源が必ずオフ状態となっているので、上述した不具合が発生することが防がれる。また、遊技盤１１を支持枠１２に取り付ける際も、回動ロック２０がアンロック位置に配されている必要があり、電源が必ずオフ状態となっているので、取り付け時に不具合が生じることも防がれる。
【００２８】
［第２実施形態］
第２実施形態のパチンコ遊技機１０は、主電源スイッチ８０とは別に、内蔵スイッチ８５（本発明の「受電スイッチ」に相当する）を備える点が上記第１実施形態とは異なる。以下に詳細を説明する。
【００２９】
本実施形態のパチンコ遊技機１０では、受電基板７１の回路中に、主電源スイッチ８０と、内蔵スイッチ８５と、が直列接続されている。そして、回動ロック２０に、内蔵スイッチ８５に当接して内蔵スイッチ８５をオンにすることが可能な突起２０Ｔが設けられていて、回動ロック２０がロック位置にあるときは、内蔵スイッチ８５がオンとなり、回動ロック２０がアンロック位置にあるときは、内蔵スイッチ８５がオフになる。
【００３０】
本実施形態のパチンコ遊技機１０によれば、主電源スイッチ８０と内蔵スイッチ８５とが両方オンになっていないと受電されないので、遊技盤１１を支持枠１２から取り外す際に、主電源スイッチ８０がオンになっていても、回動ロック２０をアンロック位置に回動すると内蔵スイッチ８５がオフになり、受電基板７１の受電が停止される。これにより、電源が入った状態で遊技盤１１が支持枠１２から取り外されることが防がれる。
【００３１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３２】
（１）上記実施形態では、本発明の「ロック部材」が回動式であったが、直動式であってもよい。
【００３３】
（２）上記実施形態では、直動部材２５と回動ロック２０とがワイヤー２６により接続されていたが、ギア等によって接続されていてもよい。
【００３４】
（３）上記実施形態では、主電源スイッチ８０がスライド式であったが、所謂シーソー式であってもよいし、プッシュ式であってもよい。
【００３５】
（４）上記第２実施形態では、主電源スイッチ８０と内蔵スイッチ８５との２つのスイッチが設けられていたが、内蔵スイッチ８５のみを設ける構成であってもよい。
【符号の説明】
【００３６】
１０    パチンコ遊技機（遊技機）
１１    遊技盤
１１Ａ    遊技盤本体
１２    支持枠
２０    回動ロック（ロック部材）
２５    直動部材（切替部材）
２６    ワイヤー
５０    主制御基板（遊技制御装置）
７０    電源装置
８０    主電源スイッチ（受電スイッチ）
８５    内蔵スイッチ（受電スイッチ）
１００    ＡＣ２４Ｖ設備電源（主電源）
【図１】
2018000643.tif 000003
【図２】
2018000643.tif 000004
【図３】
2018000643.tif 000005
【図４】
2018000643.tif 000006
【図５】
2018000643.tif 000007
【図６】
2018000643.tif 000008
【図７】
2018000643.tif 000009
【図８】
2018000643.tif 000010
【図９】
2018000643.tif 000011
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技盤に備えられ、遊技に関する制御を行う制御装置と、
前記遊技盤が着脱可能に取り付けられる支持枠と、
前記支持枠に備えられ、主電源から受けた電力を前記制御装置に送電する電源装置と、
前記遊技盤と前記支持枠とに設けられて、前記遊技盤が前記支持枠に装着されるときに互いに結合して前記制御装置と前記電源装置とを接続する一方、前記遊技盤が前記支持枠から離脱するときに離脱して前記制御装置と前記電源装置とを切断する１対のコネクタと、を有し、
前記電源装置は、前記主電源からの受電のオンオフを切り替える受電スイッチを備える遊技機において、
前記支持枠に設けられ、前記遊技盤を保持するロック位置と、前記遊技盤を着脱可能とするアンロック位置と、に切り替え可能なロック部材と、
前記ロック部材が前記ロック位置に配されたときは、前記電源装置の前記受電スイッチをオンにすることを可能とする一方、前記ロック部材が前記アンロック位置に配されたときは、前記電源装置の前記受電スイッチを強制的にオフにする受電制御機構と、を有し、
前記受電制御機構は、前記受電スイッチに設けられた手動操作部と、前記ロック部材との間の少なくとも一部を連結するワイヤーを有する遊技機。
【請求項２】
前記手動操作部とは別個に設けられ、かつ、前記手動操作部と直列接続され、前記ロック部材の動きに連動して、前記ロック部材が前記ロック位置に配されるとオンになり、前記ロック部材が前記アンロック位置に配されるとオフになる前記受電スイッチとしての内蔵スイッチを有する請求項１に記載の遊技機。
【手続補正２】
【補正対象書類名】明細書
【補正対象項目名】０００６
【補正方法】変更
【補正の内容】
【０００６】
上記目的を達成するためになされた請求項１の発明は、前面に遊技領域を有する遊技盤と、前記遊技盤に備えられ、遊技に関する制御を行う制御装置と、前記遊技盤が着脱可能に取り付けられる支持枠と、前記支持枠に備えられ、主電源から受けた電力を前記制御装置に送電する電源装置と、前記遊技盤と前記支持枠とに設けられて、前記遊技盤が前記支持枠に装着されるときに互いに結合して前記制御装置と前記電源装置とを接続する一方、前記遊技盤が前記支持枠から離脱するときに離脱して前記制御装置と前記電源装置とを切断する１対のコネクタと、を有し、前記電源装置は、前記主電源からの受電のオンオフを切り替える受電スイッチを備える遊技機において、前記支持枠に設けられ、前記遊技盤を保持するロック位置と、前記遊技盤を着脱可能とするアンロック位置と、に切り替え可能なロック部材と、前記ロック部材が前記ロック位置に配されたときは、前記電源装置の前記受電スイッチをオンにすることを可能とする一方、前記ロック部材が前記アンロック位置に配されたときは、前記電源装置の前記受電スイッチを強制的にオフにする受電制御機構と、を有し、前記受電制御機構は、前記受電スイッチに設けられた手動操作部と、前記ロック部材との間の少なくとも一部を連結するワイヤーを有する遊技機である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２の発明は、前記手動操作部とは別個に設けられ、かつ、前記手動操作部と直列接続され、前記ロック部材の動きに連動して、前記ロック部材が前記ロック位置に配されるとオンになり、前記ロック部材が前記アンロック位置に配されるとオフになる前記受電スイッチとしての内蔵スイッチを有する請求項１に記載の遊技機である。
【手続補正５】
【補正対象書類名】明細書
【補正対象項目名】００１０
【補正方法】変更
【補正の内容】
【００１０】
このとき、本発明のように、オン位置とオフ位置とに手動で切り替え可能な手動操作部を強制的にオフにする構成としてもよいし、請求項２の発明のように、手動操作部とは別に、ロック部材の動きに連動してオンオフが切り替わる内蔵スイッチを設ける構成としてもよい。
【手続補正６】
【補正対象書類名】明細書
【補正対象項目名】００１７
【補正方法】変更
【補正の内容】
【００１７】
電源装置７０は、図５に示すように、ＡＣ２４Ｖ設備電源１００から電力を受ける受電基板７１に、主電源スイッチ８０（本発明の「受電スイッチ」、「手動操作部」に相当する）を備える。そして、この主電源スイッチ８０の操作により、ＡＣ２４Ｖ設備電源１００からの受電を、オンオフすることができる。